(57)【要約】【課題】外気温が高い日中等であってもミストノズルから噴霧されるミストを包み込む気流空間で形成される環境の温度低下量を大きくすること。【解決手段】冷却装置１０が、空気が流入する供給口２０と、供給口２０から流入した空気が上方へ向かって流れる通気管２２と、通気管２２において供給口２０よりも上方に形成されており通気管２２を流れる空気を斜め下方へ吹き出す吹出口２４と、上記空気の流れを発生させる送風機３０と、吹出口２４よりも下方に設けられており通気管２２から離れる方向へ霧を噴出する噴霧ノズル２６とを備え、吹出口２４から斜め下方に吹き出す空気流の方向に延びる線分を母線５２とする円錐状の空間内５０に供給口２０を配置することにより、上記円錐状の空間内５０の空気が循環し、霧の気化熱によって繰り返し冷却されるので、当該空間内５０の空気の温度低下量を大きくすることができる。【選択図】図１
2018136048.tif 000002
【特許請求の範囲】
【請求項１】
空気が流入する供給口と、
前記供給口から流入した空気が上方へ向かって流れる通気管と、
前記通気管において前記供給口よりも上方に形成されており、前記通気管を流れる空気を斜め下方へ吹き出す吹出口と、
前記空気の流れを発生させる送風機と、
前記吹出口よりも下方に設けられており、前記通気管から離れる方向へ霧を噴出する噴霧ノズルと、
を備え、
前記吹出口から斜め下方に吹き出す空気流の方向に延びる線分を母線とする円錐状の空間内に前記供給口を配置したことを特徴とする、
冷却装置。
【請求項２】
前記供給口を少なくとも２つ配置したことを特徴とする、
請求項１に記載の冷却装置。
【請求項３】
前記供給口の面積が前記吹出口の面積よりも大きいことを特徴とする、
請求項１又は２に記載の冷却装置。
【請求項４】
前記供給口を前記通気管の外周に接するように設けたことを特徴とする、
請求項１乃至３の何れか１項に記載の冷却装置。
【発明の詳細な説明】
【技術分野】
【０００１】
本発明は、霧を噴出して屋外空間を冷却する冷却装置に関する。
【背景技術】
【０００２】
夏場の気温が高いとき、路面からの照り返しによって路面付近の温度が非常に高くなることがある。この場合、通行者の体感温度が上昇し、通行者の不快感が増大する。
【０００３】
このような不快感を軽減するため、特許文献１には、本体と、本体の周囲に設置され外方に向かって水をミスト状に噴霧する少なくとも１つのミストノズルと、このミストノズルの上方に設置され、気流をミストノズルから噴霧されるミストに向けて吹き出す通気孔とを備えた冷却装置に関する技術が開示されている。係る冷却装置では、ミストノズルから噴霧されるミストを包み込む気流空間で形成される環境を、ミストの気化熱による冷却作用を利用して効率的に環境を冷却することができる。
【先行技術文献】
【特許文献】
【０００４】
【特許文献１】特開２０１６−２８２１７号公報
【発明の概要】
【発明が解決しようとする課題】
【０００５】
しかしながら、特許文献１に記載の従来技術では、外気温が高い日などには通気孔から吹き出す気流の温度が上昇するため、ミストノズルから噴霧されるミストを包み込む気流空間で形成される環境の温度低下量が小さい。
【０００６】
本発明は、上述の従来の課題を解決するもので、外気温が高い日中等であっても、ミストノズルから噴霧されるミストを包み込む気流空間で形成される環境の温度低下量を大きくすることができる冷却装置を提供することを目的とする。
【課題を解決するための手段】
【０００７】
前記従来の課題を解決するために、本発明の冷却装置は、空気が流入する供給口と、前記供給口から流入した空気が上方へ向かって流れる通気管と、前記通気管において前記供給口よりも上方に形成されており、前記通気管を流れる空気を斜め下方へ吹き出す吹出口と、前記空気の流れを発生させる送風機と、前記吹出口よりも下方に設けられており、前記通気管から離れる方向へ霧を噴出する噴霧ノズルと、を備え、前記吹出口から斜め下方に吹き出す空気流の方向に延びる線分を母線とする円錐状の空間内に前記供給口を配置したものである。
【０００８】
これによって、上記の円錐状の空間内の空気が循環し、霧の気化熱によって繰り返し冷却されるので、当該空間内の空気の温度低下量を大きくすることができる。
【発明の効果】
【０００９】
本発明の冷却装置は、外気温が高い日中等であっても、ミストノズルから噴霧されるミストを包み込む気流空間で形成される環境の温度低下量を大きくすることができる。
【図面の簡単な説明】
【００１０】
【図１】実施の形態１に係る冷却装置１０Ａの構成を示す図。
【図２】実施の形態２に係る冷却装置１０Ｂの構成を示す図。
【図３】実施の形態３に係る冷却装置１０Ｃの構成を示す図。
【図４】実施の形態４に係る冷却装置１０Ｄの構成を示す図。
【図５】実施の形態５に係る冷却装置１０Ｅの構成を示す図。
【図６】実施の形態６に係る冷却装置１０Ｆの構成を示す図。
【発明を実施するための形態】
【００１１】
第１の発明は、冷却装置が、空気が流入する供給口と、供給口から流入した空気が上方へ向かって流れる通気管と、通気管において供給口よりも上方に形成されており通気管を流れる空気を斜め下方へ吹き出す吹出口と、前述の空気の流れを発生させる送風機と、吹出口よりも下方に設けられており通気管から離れる方向へ霧を噴出する噴霧ノズルとを備えており、供給口を、吹出口から斜め下方に吹き出す空気流の方向に延びる線分を母線とする円錐状の空間内に配置したことにある。
【００１２】
当該構成によれば、上記の円錐状の空間内の空気が循環し、霧の気化熱によって繰り返し冷却される。したがって、当該空間内の空気の温度低下量を大きくすることができる。
【００１３】
第２の発明は、第１の発明において、供給口を少なくとも２つ配置したことにある。
【００１４】
当該構成によれば、外風の影響で、上述の円錐状の空間の中心軸が通気管の軸からずれたとしても、少なくとも１つの供給口がその中心軸のずれた円錐状の空間内に存在し得る。したがって、外風の影響で霧が流されたとしても、当該空間内の空気の温度低下量を大きくすることができる。
【００１５】
第３の発明は、第１又は第２の発明において、供給口の面積が吹出口の面積よりも大きいことにある。
【００１６】
当該構成によれば、空気が供給口から吹出口までの間の風路を流れる際に、当該風路を介して外気温から得る熱量を比較的小さくすることができる。したがって、外気温が比較的高い場合であっても、当該空間内の空気の温度低下量を大きくすることができる。
【００１７】
第４の発明は、第１乃至第３の発明の何れかにおいて、供給口を前記通気管の外周に接するように設けたことにある。
【００１８】
当該構成によれば、日射が強く本体が高温になる場合であっても、通気管の外周部に接するように供給口を設けているので、送風機までの風路長さが短くなり、本体との熱交換量を少なくすることができる。また、円錐状の空間内において最も温度の低い空気を吸い込むため、吹出口から温度の低い空気を吹き出すことができる。したがって、外気温が比較的高い場合であっても、当該空間内の空気の温度低下量を大きくすることができる。
【００１９】
以下、本発明の実施の形態について、図面を参照しながら説明する。なお、本実施の形態によって本発明が限定されるものではない。
【００２０】
＜実施の形態１＞
［冷却装置１０Ａの構成］
図１は、実施の形態１に係る冷却装置１０Ａの構成を示す図である。図１は、冷却装置１０Ａの正面の断面図である。
【００２１】
図１において、冷却装置１０Ａは、供給口２０と、通気管２２と、吹出口２４と、送風機３０と、噴霧ノズル２６とを備える。
【００２２】
供給口２０からは外部の空気が流入する。供給口２０の開口方向は自由に設定することができる。例えば図１に示すように、供給口２０を水平方向に開口させることで、雨天時などに供給口２０から雨水が侵入することを防止できる。
【００２３】
通気管２２内では、供給口２０から流入した空気が上方へ向かって流れる。
【００２４】
吹出口２４は、通気管２２において供給口２０よりも上方の位置に設けられており、通気管２２を流れる空気を斜め下方へ吹き出す。吹出口２４は、複数設けられる。ただし、吹出口２４は、１つだけ設けられてもよい。吹出口２４の断面形状は円形であるが、楕円形や多角形であってもよい。
【００２５】
送風機３０は、上述の空気の流れを発生させる。すなわち、送風機３０は、供給口２０から流入し、通気管２２を通って吹出口２４から吹き出す気流を発生させる。
【００２６】
噴霧ノズル２６は、吹出口２４よりも下方に設けられており、通気管２２から離れる方向へ霧を噴出する。噴霧ノズル２６は、複数設けられる。ただし、噴霧ノズル２６は、１つだけ設けられてもよい。
【００２７】
供給口２０は、各吹出口２４から斜め下方に吹き出す気流の方向に延びる線分を母線５２とする円錐状の空間内５０に配置されている。
【００２８】
供給口２０は２つ以上配置されている。
【００２９】
また、供給口２０の面積は、吹出口２４の面積よりも大きい。
【００３０】
また、通気管２２の軸５４に垂直な線上における、通気管２２の軸５４と供給口２０の中心点との間の距離Ｌ１は、噴霧ノズル２６を通る、通気管２２の軸５４に垂直な線上における、通気管２２の軸５４と母線５２との間の距離Ｌ２よりも短い。
【００３１】
［動作］
以下、実施の形態１に係る冷却装置１０Ａの動作及び作用を、図１を参照しながら説明する。
【００３２】
送風機３０が稼働すると、供給口２０から流入し、通気管２２を通って吹出口２４から吹き出す気流が発生する。ここで、円錐状の空間内５０には冷たい空気だけでなく未蒸発の霧（水滴）も存在する。通気管２２は鉛直ダクトとなっているため、供給口２０から流入した空気中に含まれる相対的に粒径の大きい水滴は自重で落下し、除去されるので吹出口２４から相対的に粒径が大きな水滴が吹き出さることを防止できる。一方、供給口２０から流入した空気中に含まれる霧中の相対的に粒径の小さい水滴は通気管２２を通過する過程で蒸発し、吹出口２４から吹き出す空気の温度を下げることができる。
【００３３】
噴霧ノズル２６から噴出された霧は、吹出口２４から吹き出された気流によって、円錐状の空間５０の外への流出が抑制され、円錐状の空間内５０に留まって蒸発する。この霧の気化熱により、円錐状の空間内５０の空気が冷却される。
【００３４】
供給口２０は、円錐状の空間内５０に配置されている。したがって、供給口２０からは、上述の霧の気化熱により冷却された空気が流入する。その空気は、再び吹出口２４から吹き出されて、上述同様、霧の気化熱によって冷却される。すなわち、円錐状の空間内５０の空気が、霧の気化熱によって繰り返し冷却される。これにより、当該空間内５０の空気の温度低下量を大きくすることができる。
【００３５】
このように、円錐状の空間内５０の空気を循環させることで、比較的少ない噴霧量（つまり水の使用量）で、当該空間内５０の空気の温度低下量を大きくすることができる。なぜなら、円錐状の空間内５０の空気を循環させずに当該空間内５０の空気の温度低下量を大きくするには、単位体積あたりの気化熱量を高めるために、大量の霧を噴出する（つまり大量の水を使用する）必要があるからである。
【００３６】
また、供給口２０が２つ以上配置されているので、外風の影響で円錐状の空間の中心軸が通気管２２の軸５４からずれたとしても、少なくとも１つの供給口２０が、その中心軸のずれた円錐状の空間内５０に存在し得る。したがって、外風の影響で霧が流されるような環境であっても、当該空間内５０の空気の温度低下量を大きくすることができる。
【００３７】
また、供給口２０の面積が吹出口２４の面積よりも大きいので、単位流量あたりの伝熱面積が比較的小さくなり、供給口２０から流入した空気と風路を構成する部材との間の熱交換量が減少する。すなわち、風路を流れる空気が、当該風路を介して外気温から得る熱量を比較的小さくすることができる。したがって、外気温が比較的高い環境であっても、風路を通る間の空気の温度上昇が抑制されるので、当該空間内５０の空気の温度低下量を大きくすることができる。
【００３８】
本実施の形態の冷却装置１０Ａは、空気が流入する供給口２０と、供給口２０から流入した空気が上方へ向かって流れる通気管２２と、通気管２２において供給口２０よりも上方に形成されており通気管２２を流れる空気を斜め下方へ吹き出す吹出口２４と、前述の空気の流れを発生させる送風機３０と、吹出口２４よりも下方に設けられており通気管２０から離れる方向へ霧を噴出する噴霧ノズル２６とを備えており、供給口２０を、吹出口２４から斜め下方に吹き出す空気流の方向に延びる線分を母線５２とする円錐状の空間５０内に配置したものである。
【００３９】
例えば、図１のように、通気管２２と供給口２０との間の通気管２２の軸に対して垂直方向の距離Ｌ１が、噴霧ノズル２６と母線５２との間の通気管２２の軸に対して垂直方向な距離Ｌ２よりも短くなるように設定することで、吹出口２４から斜め下方に吹き出す空気流の方向に延びる線分を母線５２とする円錐状の空間内に供給口２０を配置することができる。
【００４０】
＜実施の形態２＞
実施の形態１でも述べたように、円錐状の空間内５０には未蒸発の霧（水滴）も存在するので、供給口２０からは空気と共に水滴も流入し得る。
【００４１】
送風機３０が供給口２０と吹出口２４との間に設けられている場合、送風機３０の寿命を延ばすために、供給口２０から流入した水滴が送風機３０に到達することを防止することが望ましい。そこで、当該水滴が送風機３０に到達することを妨げる構成について、実施の形態２乃至４で説明する。
【００４２】
［冷却装置１０Ｂの構成］
図２は、実施の形態２に係る冷却装置１０Ｂの構成を示す図である。図２上段は、冷却装置１０Ｂの正面図（Ｂ−Ｂ断面図）であり、図２下段は、冷却装置１０Ｂの平面図（Ａ−Ａ断面図）である。なお、図１と同じ構成部分については、同じ参照符号を用い、詳細な説明を省略する。
【００４３】
図２において、冷却装置１０Ｂは、供給口２０Ａと送風機３０との間に、ラビリンス部１００Ａを備える。ラビリンス部１００Ａには、急な屈折の風路１０３Ａが形成されている。
【００４４】
図２において、ラビリンス部１００Ａには、通気管２２の軸を中心とした同心円状の複数の仕切板１０２Ａが設けられており、複数の仕切板１０２Ａによって、空気が下方向へ向かいその後上方向へ向かう急な屈折を有する風路１０３Ａが形成されている。急な屈折（上下の折り返し部分）は複数設けられてもよい。
【００４５】
ラビリンス部１００Ａの底と設置面との間に空間が形成されるように、ラビリンス部１００Ａの底には脚４０２が設けられている。
【００４６】
また、風路１０３Ａを形成する底面の少なくとも一部には、風路１０３Ａに溜まった水を排出するためのドレンポート４００と、当該ドレンポート４００を塞ぐ形状であって設置面の方向へ開閉可能な弁４０１が設けられている。
【００４７】
また、ラビリンス部１００Ａは、円筒形状の複数の仕切板１０２Ａによって形成される風路１０３Ａの風路面積が全域に渡って一定となるように隙間ｔ１、ｔ２、ｔ３、ｔ４が調整されて構成されている。
【００４８】
［動作］
以下、実施の形態２に係る冷却装置１０Ｂの動作及び作用を、図２を参照しながら説明する。
【００４９】
供給口２０Ａを通じて、未蒸発の霧（水滴）及び空気の混合流体が、ラビリンス部１００Ａ内の風路１０３Ａに流入する。
【００５０】
混合流体が風路１０３Ａを下方向へ向かいその後上方向へ向かう際、水滴は慣性及び自重によって混合気体から分離される。相対的に粒径の大きな水滴は急な屈折（上下の折り返し部分）を通過する際、自身の慣性力により流れに沿うことができず、水滴は風路１０３Ａの内壁（仕切板１０２Ａ等）に付着する。このようにして、混合流体から水滴が分離されて、空気（湿り空気）のみがラビリンス部１００Ａの流出口１０４Ａから流出する。
【００５１】
これにより、水滴が送風機３０に到達することが抑制されるので、送風機３０の寿命を延ばすことができる。
【００５２】
送風機３０の運転中、風路１０３Ａ内は負圧であるので、弁４０１は、ドレンポート４００を塞ぐように動作する。しかし、風路１０３Ａ内の内壁に付着した水滴が風路１０３の底面に一定以上溜まり、溜まった水による水圧と風路１０３Ａ内の圧力との和が大気圧以上になると、弁４０１に鉛直下向きの力が働き、弁４０１は開く。このとき、風路１０３Ａの底面に溜まった水が、ドレンポート４００から排出される。水が排出されると、水圧と風路１０３Ａ内の圧力との和が大気圧以下になり、弁４０１に鉛直上向きの力が働き、弁４０１は再び閉まる。
【００５３】
これにより、風路１０３Ａ内に溜まった水を自動的に排出することができる。
【００５４】
また、風路１０３Ａの風路面積が一定であるので、風路の拡大および縮小から生じる圧力損失は抑制される。
【００５５】
これにより、風路１０３Ａを通る混合気体に含まれるミストに生じる慣性力、すなわちミストを気体から分離する効率を低下させることなく、送風機に生じる負荷を低減することができる。
【００５６】
また、風路１０３Ａの通気管２２の軸５４から遠い場所ほど、円筒形状の仕切板１０２Ａと流体との接触面積が大きくなるので、霧が付着して水温に近づいた円筒形状の仕切板１０２Ａと流体との間の熱交換量が増加する。
【００５７】
これにより、風路１０３Ａを通る流体の温度を低下させることができる。
【００５８】
＜実施の形態３＞
［冷却装置１０Ｃの構成］
図３は、実施の形態３に係る冷却装置１０Ｃの構成を示す図である。図３上段は、冷却装置１０Ｃの正面図（Ｂ−Ｂ断面図）であり、図３下段は、冷却装置１０Ｃの平面図（Ａ−Ａ断面図）である。なお、図１と同じ構成部分については、同じ参照符号を用い、説明を省略する。
【００５９】
図３は、実施の形態２で説明したラビリンス部の変形例である。
【００６０】
図３において、ラビリンス部１００Ｂには、通気管２２の軸を中心とした同心円状の外板１０９と当該軸に平行な平板１０７との間に、当該平板１０７に垂直な複数の仕切板１０２Ｂが設けられており、複数の仕切板１０２Ｂによって、空気が下方向へ向かいその後上方向へ向かう急な屈折を有する風路１０３Ｂが形成されている。
【００６１】
［動作］
以下、実施の形態３に係る冷却装置１０Ｃの動作及び作用を、図３を参照しながら説明する。
【００６２】
供給口２０Ｂを通じて、未蒸発の霧（水滴）及び空気の混合流体が、ラビリンス部１００Ｂ内の風路１０３Ｂに流入する。
【００６３】
混合流体が風路１０３Ｂを下方向へ向かいその後上方向へ向かう際、水滴は慣性及び自重によって混合気体から分離される。この分離がされた水滴は、風路１０３Ｂの内壁（仕切板１０２Ｂ等）に衝突する。このようにして、混合流体から水滴が分離されて、空気（湿り空気）のみがラビリンス部１００Ｂの流出口１０４Ｂから流出する。
【００６４】
これにより、水滴が送風機３０に到達することが抑制されるので、送風機３０の寿命を延ばすことができる。
【００６５】
＜実施の形態４＞
［冷却装置１０Ｄの構成］
図４は、実施の形態４に係る冷却装置１０Ｄの構成を示す図である。図４上段は、冷却装置１０Ｄの正面図（Ｂ−Ｂ断面図）であり、図４下段は、冷却装置１０Ｄの平面図（Ａ−Ａ断面図）である。なお、図１と同じ構成部分については、同じ参照符号を用い、説明を省略する。
【００６６】
図４において、冷却装置１０Ｄは、供給口２０Ｃと送風機３０との間に、遠心分離部２００を備える。遠心分離部２００には、環状の風路１０３Ｃが形成されている。
【００６７】
図４において、遠心分離部２００には、通気管２２の軸を中心とした同心円状の仕切板２０２が設けられており、その仕切板２０２によって、通気管２２の軸を中心とした環状の風路１０３Ｃが形成されている。
【００６８】
供給口２０Ｃは、遠心分離部２００の流出口２０６よりも下方に設けられている。
【００６９】
また、供給口２０Ｃには、当該供給口２０Ｃを覆う蓋部２０４が設けられている。この蓋部２０４は、所定のアクチュエーター５０６の駆動よって開閉する。
【００７０】
また、冷却装置１０Ｄは、アクチュエーター５０６の駆動を制御する制御部５００を有する。
【００７１】
また、通気管２２内には湿度センサ５０２が設けられており、通気管２２内の湿度情報を制御部５００に提供する。また、遠心分離部２００の流出口２０６付近には流速センサ５０４が設けられており、流体の流速情報を制御部５００に提供する。
【００７２】
［動作］
以下、実施の形態４に係る冷却装置１０Ｄの動作及び作用を、図４を参照しながら説明する。
【００７３】
供給口２０Ｃを通じて、未蒸発の霧（水滴）及び空気の混合流体が、遠心分離部２００内の風路に流入する。
【００７４】
供給口２０Ｃは、遠心分離部２００の流出口２０６よりも下方に設けられているので、遠心分離部２００の風路１０３Ｃに流入した混合流体は、環状の風路１０３Ｃに沿って進みながら上昇し、上方に設けられている流出口２０６へ向かう。
【００７５】
混合気体が環状の風路１０３Ｃに沿って進む際、水滴は遠心力（慣性）によって混合気体から分離される。また、混合気体が環状の風路１０３Ｃを沿って進みながら上昇する際、水滴は自重によっても混合気体から分離される。この分離された水滴は、風路１０３Ｃの外壁（仕切板２０２等）に衝突する。このようにして、混合流体から水滴が分離されて、空気（湿り空気）のみが遠心分離部２００の流出口２０６から流出する。
【００７６】
また、蓋部２０４の開閉度合いを調整することにより、供給口２０Ｃの開口面積Ｃ１を調整することができる。ここで、供給口２０Ｃの開口面積Ｃ１を大きくし過ぎると、供給口２０Ｃへ流入する気流の速度が低下し、遠心分離部２００における水滴の分離力が低下する。反対に、供給口２０Ｃの開口面積Ｃ１を小さくし過ぎると、圧力損失が増大し、送風機３０の風量が低下する。
【００７７】
そこで、制御部５００は、通気管２２内の湿度センサ５０２で測定される湿度が所定の閾値以下になるか、又は、遠心分離部２００内の流速センサ５０４で測定される流速が所定の閾値以上になるように、蓋部２０４のアクチュエーター５０６を制御して供給口２０Ｃの開口面積Ｃ１を調整する。
【００７８】
これにより、送風機３０の寿命を延ばすことができると共に、送風機３０の風量の低下を抑制することもできる。
【００７９】
＜実施の形態５＞
［冷却装置１０Ｅの構成］
図５は、実施の形態５に係る冷却装置１０Ｅの構成を示す図である。なお、図１と同じ構成部分については、同じ参照符号を用い、説明を省略する。
【００８０】
図５において、冷却装置１０Ｅは、供給口２０Ｄと送風機３０との間に、散布部３００Ａを備える。
【００８１】
散布部３００Ａには、供給口２０Ｄを気流の入口、流出口３０４Ａを気流の出口とする風路が形成されており、その風路の途中に、粒径の比較的大きい霧（水滴）を下方へ散布する第２の噴霧ノズル３０２Ａが設けられている。
【００８２】
［動作］
以下、実施の形態５に係る冷却装置１０Ｅの動作及び作用を、図５を参照しながら説明する。
【００８３】
供給口２０Ｄを通じて、未蒸発の霧（水滴）及び空気の混合流体が、散布部３００Ａ内の風路に流入する。
【００８４】
混合流体が風路を通る際、混合流体に含まれる水滴（「流体内水滴」という）は、第２の噴霧ノズル３０２Ａから散布された粒径の比較的大きな霧（「大粒径の霧」という）と衝突し結合する。この結合した水滴は、自重により落下する。このようにして、混合気流から流体内水滴が分離されて、空気（湿り空気）のみが流出口３０４Ａから流出する。
【００８５】
これにより、水滴が送風機３０に到達することが抑制されるので、送風機３０の寿命を延ばすことができる。
【００８６】
なお、散布部３００Ａは、第１の噴霧ノズル３０２Ａから散布した水滴を回収し、その回収した水を散布に再利用する循環機構を備えてもよい。これにより、水の使用量を減らすことができる。
【００８７】
＜実施の形態６＞
［冷却装置１０Ｆの構成］
図６は、実施の形態６に係る冷却装置１０Ｆの構成を示す図である。なお、図１と同じ構成部分については、同じ参照符号を用い、説明を省略する。
【００８８】
冷却装置１０Ｆは、供給口２０Ｅと流出口３０４Ｂとの間に、散布部３００Ｂを備える。
【００８９】
散布部３００Ｂには、供給口２０Ｅを気流の入口、流出口３０４Ｂを気流の出口とする風路が形成されている。供給口２０Ｅは、散布部３００Ｂの上面に設けられている。
【００９０】
風路は、供給口２０Ｅから下方へ向かう下方風路と、流出口３０４Ｂへ水平に向かう水平風路と、下方風路及び水平風路の何れとも９０度よりも大きい角度で（つまり傾斜をもって）下方風路と水平風路とを結ぶ斜方風路とによって構成されている。
【００９１】
水平風路内には、粒径の比較的大きい霧を上方へ散布する第２の噴霧ノズル３０２Ｂが設けられている。また、第２の噴霧ノズル３０２Ｂの上方には、噴霧した霧が壁面に付着させないで自重により落下させる噴霧空間３２４が設けられている。
【００９２】
［動作］
以下、実施の形態６の係る冷却装置１０Ｆの動作及び作用を、図６を参照しながら説明する。
【００９３】
供給口２０Ｅを通じて、未蒸発の霧（水滴）及び空気の混合流体が、供給口２０Ｅから散布部３００Ｂ内の風路に流入する。
【００９４】
第２の噴霧ノズル３０２Ｂが上方へ散布した霧は噴霧空間３２４に広がった後、自重により落下する。このとき、霧同士が結合し、大粒径の霧となる。
【００９５】
混合流体が水平風路を通る際、流体内水滴は、上記の大粒径の霧と衝突して結合する。この結合した水滴は、自重により落下する。このようにして、混合気流から流体内水滴が分離されて、空気（湿り空気）のみが流出口３０４Ｂから流出する。
【００９６】
また、霧を上方へ散布する第２の噴霧ノズル３０２Ｂの上方に噴霧空間３２４を設けることにより、大粒径の霧の濃度が高くなるので、混合気流から流体内水滴を分離する性能が向上する。
【００９７】
なお、第２の噴霧ノズル３０２Ｂから散布した水滴を回収し、その回収した水を噴霧に再利用する循環機構３２２Ｂを備えてもよい。これにより、水の使用量を減らすことができる。
【００９８】
上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００９９】
本発明は、ミストを屋外空間に噴き出して屋外空間を冷却する冷却装置に用いるのに好適である。
【符号の説明】
【０１００】
１０Ａ、１０Ｂ、１０Ｃ、１０Ｄ、１０Ｅ、１０Ｆ  冷却装置
２０、２０Ａ、２０Ｂ、２０Ｃ、２０Ｄ、２０Ｅ  供給口
２２  通気管
２４  吹出口
２６  噴霧ノズル
３０  送風機
１００Ａ、１００Ｂ  ラビリンス部
２００  遠心分離部
３００Ａ、３００Ｂ  散布部
３０２Ａ、３０２Ｂ  第２の噴霧ノズル
３０４Ａ、３０４Ｂ  流出口
３２２Ｂ  循環機構
３２４  噴霧空間
【図１】
2018136048.tif 000003
【図２】
2018136048.tif 000004
【図３】
2018136048.tif 000005
【図４】
2018136048.tif 000006
【図５】
2018136048.tif 000007
【図６】
2018136048.tif 000008